(57)【特許請求の範囲】
【請求項１】
垂直な側壁と底板により形成されたＬ形状をなす板材であって、板材における底板から切出し底板に対して垂直となる位置まで上方へ折り曲げることにより形成された複数の垂直なタブを前記底板の概ね中央に有する板材と、
前記垂直なタブに形成された孔及び前記板材の側壁に設けられた孔と、
前記垂直なタブの孔及び前記板材の側壁の孔を介して、前記側壁及び前記垂直なタブに固定されるピンと、
前記ピンに取り付けられた渦巻きバネと、
前記板材の側壁に形成された開口部と、
一端が前記ピンを回転軸とするように前記ピンに結合されると共に、前記渦巻きバネの一端に結合され、前記開口部に係合する突出部を有するハンドルと、
前記渦巻きバネの他端に結合され、前記ピンを回転軸とする前記ハンドルによる回転に応じて、上下動して前記板材との間に紙を挟み込むための押え棒と、
それぞれが第１および第２のアーム端と共に、前記第１および第２のアーム端を結合する回転アーム部分を有し、前記第１のアーム端が前記垂直なタブに結合され、前記第２のアーム端が前記押え棒に結合されている複数のピボットアームと、
前記板材における側壁によって前記垂直なタブに対応する位置に形成され、前記ピボットアームにおける第１のアーム端の終端部を支持する終端支持部とを具備し、
前記第１のアーム端の終端部が前記板材の側壁を超えてない位置において終端していることを特徴とするファイル用のレバークリップ。
【請求項２】
押え棒における最上面と側壁の外側との交差部分を切り込み中側へ折り曲げることにより、その交差部分の上に凹部分が形成されており、上記凹部分の窪んだ側壁には孔が形成されており、前記ピボットアームの第１のアーム端における終端部が、上記孔を介して延びているが、前記押え棒の側壁における外側を超えては延びていないことを特徴とする請求項１に記載のファイル用のレバークリップ。
【請求項３】
押え棒における最上面と側壁の外側が交差する位置上において、交差部分を内部側へプレスすることにより凹部分が形成されており、前記凹部分は押え棒の最上面と側壁に対する滑らかに遷移する結合部を形成しており、前記凹部分における窪んだ側壁に孔が形成されており、ピボットアームにおける第２のアーム端の終端部は前記孔を介して延びるが、押え棒の側壁の外側を超えて延びていないことを特徴とする請求項１に記載のファイル用のレバークリップ。
【請求項４】
押え棒はその最上面に、最上面を切出し上記押え棒の最上面から下方へ折り曲げて形成した概ね垂直なタブを有し、該タブは上記押え棒の最上面の概ね中央位置に与えられ、それぞれの前記タブはピボットアームの第２のアーム端を収容し且つ保持するための孔を有しており、前記第２のアーム端の終端部は前記タブと前記押え棒の閉じた側壁との間において終端しており、前記押え棒における側壁の外側が塞がれており、ピボットアームの前記第２のアーム端の終端部は前記押え棒の側壁の外側を超えて延びていないことを特徴とする請求項１に記載のファイル用のレバークリップ。
【請求項５】
前記終端支持部は側壁から内側へ折り曲げられて概ね上記側壁に平行するようにされた切出されたタブであり、前記切出されたタブは孔を有し、ピボットアームにおける第１のアーム端における終端部が、上記孔を介して延びているが、前記板材の側壁における外側を超えては延びていないことを特徴とする請求項１に記載のファイル用のレバークリップ。
【請求項６】
前記終端支持部は板材における側壁の位置において及び底面において内側に形成された凹部分であり、該凹部分はピボットアームにおける第１のアーム端のため孔を有し、ピボットアームの第１のアーム端における終端部が、前記板材の側壁における外側を超えては延びていないことを特徴とする請求項１に記載のファイル用のレバークリップ。
【請求項７】
前記終端支持部は板材における側壁から内側へ折り曲げられて概ね上記側壁に平行するようにされた切出された凹部分であり、該凹部分の高さが、対応する垂直なタブに対してピボットアームの第１のアーム端用に形成された孔の高さに対応しており、上記ピボットアームにおける第１のアーム端は、前記凹部分において支持されており、前記第１のアーム端における終端部は前記板材の側壁を超えて延びていないことを特徴とする請求項１に記載のファイル用のレバークリップ。
【請求項８】
前記終端支持部は板材における側壁の外側へ突出した突出部であり、上記側壁の内側に凹みを有し、前記突出部の高さは、垂直なタブに形成された孔の高さに対応しており、ピボットアームの第１のアーム端における終端部が前記側壁における前記突出部の凹みにて収容され且つ保持されていることを特徴とする請求項１に記載のファイル用のレバークリップ。
【請求項９】
ピンはそれ自体の端部に概ね平坦なリベット端を形成し、該リベットは板材の側壁を介して延びていることを特徴とする請求項１に記載のファイル用のレバークリップ。
【請求項１０】
前記終端支持部は、板材における側壁より内側に設けられ、この終端支持部と前記側壁との間においてビボットアームの第１のアーム端における終端部が終端していることを特徴とする請求項１乃至７のいずれか１項に記載のファイル用レバークリップ。
【発明の詳細な説明】
【０００１】
【発明の属する技術分野】
この発明は、ファイル用のレバークリップに関するものである。板材の側壁とレバークリップの棒の外側壁とに対する本発明に係る改良によれば、レバークリップのピボットアームの２つのアーム端の端部は、板材の側壁と押え棒の側壁を越えて延びていないので、ファイルのめくられた紙が切り裂かれることなく且つ誤って使用者の手を傷つけることを効果的に避ける。
【０００２】
【従来の技術】
第１に参照する図１は、従来のファイルホルダ用のレバークリップを示している。レバークリップは、板材１とハンドル２と押え棒３と渦巻きバネ４とピボットアーム５及びピン６を具備する。板材１は、垂直な側壁と底面部とにより構成されたＬ形状をなしている。底面部上に立設された幾つかのタブは、底面部を切出して形成され、底面部に対してそれぞれ垂直位置へ折り曲げられている。ピン６は側壁に固定されると共に、上記側壁と対応するタブに形成された孔を介して上記立設されたタブに固定されている。渦巻きバネ４は上記ピン６を覆って設けられ、渦巻きバネ４の一端はハンドル２の底面を押しつけ、その他端は押え棒３に渦巻きバネ４のバネ力を及ぼすために押え棒３に結合されている。押え棒３はピボットアーム５と渦巻きバネ４によって板材１に結合されている。ハンドル２の一端は、回転軸のピン６に結合されている。ハンドル２の側方突起部が板材１の側壁における開口部に嵌合するので、ハンドル２は、しっかりと押さえ付ける位置上に位置付けられる。このしっかりと押さえ付ける位置上において、綴じられていない紙は、ハンドル２の押し下げによって生じる渦巻きバネ４のバネ圧力により、押え棒３と板材１の底面との間に押さえ付けられる。ハンドル２の側方突起部が板材１の側壁における開口部に嵌合されなくなると、渦巻きバネ４のバネ圧力は解除され得る。斯して、ファイルの紙上に施されていた押圧力は解除され、紙は持ち出しまたは交換可能となる。
【０００３】
このように図１に示された従来のレバークリップの構成においては、板材１の側壁の孔と、底面の立設されたタブにおける孔とを介して、上記ピボットアームの一方の端部が延びている。アームの他方の端部は、上記棒の両側壁面に形成された孔をそれぞれ介して延長されている。ピボットアームの結合部分は、ピボットアームの２アーム端の間に結合されており、その結果、板材の側壁に設けられたピボットアームのアーム端の回転動作は、上記棒に設けられたピボットアームにおける他のアーム端の上昇と下降動作に変えることが可能である。このようにして、ハンドルがピン６の回りを回転するときに、上昇して紙を緩めると共に下降して紙を押え付けるようにピボットアームは押え棒３を支持する。
【０００４】
【発明が解決しようとする課題】
従来のレバークリップの１つの欠点は、図１Ａに示すように、ピボットアームの他の端部が、上記棒の壁面の孔を介して延長されており、アーム端の端部が上記棒の側壁の外側へ突出していることである。ここにおいて、ファイルの押さえ付けられた紙がめくられると、図２と図２Ａに示されるように、上記ピボットアーム端の押え棒の側壁の外側へ突出している端部は容易に上記のめくられた紙を傷つけてしまう。
【０００５】
従来のレバークリップの他の欠点は、図３及び図３Ａに示されるように、ピボットアーム５における１アーム端が板材１の底面に立設されたタブにおける孔及び板材１の側壁における孔を介して延長されており、上記アーム端の端部が上記側壁の外側へ突出しており、ピン６の端部が上記側壁の外側へ突出しており、その結果、ファイルホルダを扱うとき、上記露出したチップや上記側壁の外側へ突出したピボットアームやピンの端部が容易に手を傷つけてしまうことである。
【０００６】
上記従来のレバークリップが有している欠点を克服すべく、本発明の１つの目的は、めくられたファイルの紙を傷つけることのないレバークリップを提供することである。
【０００７】
本発明の他の目的は、レバークリップを扱うとき誤って手を傷つけることのないレバークリップを提供することである。
【０００８】
【課題を解決するための手段】
本発明の上記目的を達成するために、本発明は、垂直な側壁と底板により形成されたＬ形状をなす板材であって、板材における底板から切出し底板に対して垂直となる位置まで上方へ折り曲げることにより形成された複数の垂直なタブを前記底板の概ね中央に有する板材と、前記垂直なタブに形成された孔及び前記板材の側壁に設けられた孔と、前記垂直なタブの孔及び前記板材の側壁の孔を介して、前記側壁及び前記垂直なタブに固定されるピンと、前記ピンに取り付けられた渦巻きバネと、前記板材の側壁に形成された開口部と、一端が前記ピンを回転軸とするように前記ピンに結合されると共に、前記渦巻きバネの一端に結合され、前記開口部に係合する突出部を有するハンドルと、前記渦巻きバネの他端に結合され、前記ピンを回転軸とする前記ハンドルによる回転に応じて、上下動して前記板材との間に紙を挟み込むための押え棒と、それぞれが第１および第２のアーム端と共に、前記第１および第２のアーム端を結合する回転アーム部分を有し、前記第１のアーム端が前記垂直なタブに結合され、前記第２のアーム端が前記押え棒に結合されている複数のピボットアームと、前記板材における側壁によって前記垂直なタブに対応する位置に形成され、前記ピボットアームにおける第１のアーム端の終端部を支持する終端支持部とを具備し、前記第１のアーム端の終端部が前記板材の側壁を超えてない位置において終端していることを特徴とするファイル用レバークリップを提供する。
【０００９】
好ましくは、押え棒における最上面と側壁の外側との交差部分を切り込み中側へ折り曲げることにより、その交差部分の上に凹部分が形成されており、上記凹部分の窪んだ側壁には孔が形成されており、前記ピボットアームの第１のアーム端における終端部が、上記孔を介して延びているが、前記押え棒の側壁における外側を超えては延びていない。
【００１０】
好ましくは、押え棒における最上面と側壁の外側が交差する位置上において、交差部分を内部側へプレスすることにより凹部分が形成されており、前記凹部分は押え棒の最上面と側壁に対する滑らかに遷移する結合部を形成しており、前記凹部分における窪んだ側壁に孔が形成されており、ピボットアームにおける第２のアーム端の終端部は前記孔を介して延びるが、押え棒の側壁の外側を超えて延びていない。
【００１１】
好ましくは、押え棒はその最上面に、最上面を切出し上記押え棒の最上面から下方へ折り曲げて形成した概ね垂直なタブを有し、該タブは上記押え棒の最上面の概ね中央位置に与えられ、それぞれの前記タブはピボットアームの第２のアーム端を収容し且つ保持するための孔を有しており、前記第２のアーム端の終端部は前記タブと前記押え棒の閉じた側壁との間において終端しており、前記押え棒における側壁の外側が塞がれており、ピボットアームの前記第２のアーム端の終端部は前記押え棒の側壁の外側を超えて延びていない。
【００１２】
好ましくは、前記終端支持部は側壁から内側へ折り曲げられて概ね上記側壁に平行するようにされた切出されたタブであり、前記切出されたタブは孔を有し、ピボットアームにおける第１のアーム端における終端部が、上記孔を介して延びているが、前記板材の側壁における外側を超えては延びていない。
【００１３】
好ましくは、前記終端支持部は板材における側壁の位置において及び底面において内側に形成された凹部分であり、該凹部分はピボットアームにおける第１のアーム端のため孔を有し、ピボットアームの第１のアーム端における終端部が、前記板材の側壁における外側を超えては延びていない。
【００１４】
好ましくは、前記終端支持部は板材における側壁から内側へ折り曲げられて概ね上記側壁に平行するようにされた切出された凹部分であり、該凹部分の高さが、対応する垂直なタブに対してピボットアームの第１のアーム端用に形成された孔の高さに対応しており、上記ピボットアームにおける第１のアーム端は、前記凹部分において支持されており、前記第１のアーム端における終端部は前記板材の側壁を超えて延びていない。
【００１５】
好ましくは、前記終端支持部は板材における側壁の外側へ突出した突出部であり、上記側壁の内側に凹みを有し、前記突出部の高さは、垂直なタブに形成された孔の高さに対応しており、ピボットアームの第１のアーム端における終端部が前記側壁における前記突出部の凹みにて収容され且つ保持されていることを特徴とする。
【００１６】
好ましくは、ピンはそれ自体の端部に概ね平坦なリベット端を形成し、該リベットは板材の側壁を介して延びている。また、前記終端支持部は、板材における側壁より内側に設けられ、この終端支持部と前記側壁との間においてビボットアームの第１のアーム端における終端部が終端していることを特徴とする。
【００１７】
【発明の実施の形態】
本発明に係る好適な実施例は、添付図面を参照して説明されるであろう。各図において、同一の参照番号は同一の部材を示す。図４乃至図９は本発明の第１の実施例を示す。本発明の第１の実施例の構成と操作原理は、概ね従来のレバークリップと同様である。それゆえ、発明の改良点のみを明確に述べて、それ以外の詳細説明を省略する。
【００１８】
図７に示すように、本発明に係るレバークリップの第１の実施例は、板材１、ハンドル２、押え棒３、渦巻きバネ４、ピボットアーム５及びピン６を具備する。板材１は、水平な底板１ｂとこれに垂直な側壁１ａとにより構成されるＬ形状をなしている。幾つかのタブ７が板材１の底板１ｂにおける概ね中央部に形成されている。タブ７は底板１ｂから切出され、引き起こして曲げられてそれぞれが上記底板１ｂに対して垂直状態とされている。側壁１ａは、幾つかの窪んだタブ８を有する。この窪んだタブ８は、概ね側壁１ａに平行であり、垂直なタブ７に対応する位置における側壁１ａの一部を切出して内側へ折り曲げて形成されている。相互に対応している垂直なタブ７と凹状のタブ８は、それぞれピボットアーム５の一方のアーム端（第１のアーム端）５ａを収容すると共に保持するための孔を有した終端支持部となっている。押え棒３は、幾つかの凹部分９を有する。この凹部分９は、押え棒３における最上面３ａと側壁３ｂの外側が交差する位置上において、交差部分を切り込み内部側へ折り曲げることにより形成されている。上記凹部分９における窪んだ側壁９ａには、ピボットアーム５の他方のアーム端（第２のアーム端）５ｂを収容すると共に保持するための孔が形成されている。一方のアーム端と他方のアーム端とは、結合する部位である回転アーム部分により結合されている。
【００１９】
図４、図６Ａ、図６Ｂ、図６Ｃ、図６Ｄ、図６Ｅに示されるように、本発明に係る組み立てられたレバークリップの第１の実施例において、ピボットアーム５の他方のアーム端５ｂの終端部５ｂｂは、上記凹部分９における窪んだ側壁９ａに形成された孔を介して延びているが、押え棒３における側壁３ｂの外側を超えて突出していない。そのため、他方のアーム端５ｂの終端部５ｂｂは、押え棒３における上記凹部分９にて終端している。この場合、ピボットアーム５の終端部５ｂｂは、従来例の欠点を克服するため、めくられたファイルの紙を破くようには接触しないでありましょう。
【００２０】
同様に、本発明に係る組み立てられたレバークリップの第１の実施例においては、図５、図６Ａ、図６Ｂ、図６Ｃ、図６Ｄ、図６Ｅに示されるように、ピボットアーム５の一方のアーム端５ａの終端部５ａａは、垂直なタブ７に形成された孔と、垂直なタブ７に対応する側壁１ａから内側へ凹まされた上記窪んだタブ８に形成された孔とを介して延びているが、板材１の側壁１ａの外側を超えて突出していない。終端部５ａａは切り欠かれた窪んだタブ８と板材１の側壁１ａの間において終端している。斯して、ピボットアーム５の終端部５ａａは、従来例の欠点を克服するため、レバークリップの使用中において手を傷つけることを防ぐために、使用者の手に触れることはないでありましょう。更に、ピン６は、板材１の底板１ｂから立ち上がった垂直なタブ７に形成された孔及び板材１の側壁１ａに形成された孔を介して延びている。板材１の側壁１ａを超えて延びるピン６の端部６ａは、上記側壁１ａにしっかりと対向するリベット端を形成するため側壁１ａに向けて折り返されている。それゆえ、ピン６のリベット端は滑らかであり、手を傷つけることなく、従来例の欠点を克服する。
【００２１】
図８は、本発明に係る紙を挟むレバークリップの第１の実施例の斜視図であり、図８Ａは図８の要部拡大斜視図であり、図９は、図８に示した紙を挟むレバークリップの横側斜視図である。上記図面によれば、上記で述べた改良された構成及び本発明に係る第１の実施例の優位性が明瞭に分かる。
【００２２】
図１０乃至図１１Ｅは、本発明に係る紙を挟むレバークリップの第２の実施例の構成を示す。本発明に係る第２の実施例の主な構成は、本発明に係る第１の実施例の構成に等しい。このため、第１の実施例と同一または類似の構成の説明を省略し、下記の通り第１の実施例との相違のみを説明する。
【００２３】
第２の実施例においては、押え棒３は幾つかの凹部分１９を備える。この凹部分は、押え棒３における最上面３ａと側壁３ｂの外側が交差する位置上において、交差部分を内部側へプレスすることにより形成されている。このため、上記凹部分１９は、押え棒３の側壁３ｂの外側及び最上面３aに結合されると共に一体化されている。それは、第１の実施例における切出して内側へ折り曲げて形成された凹部分９と相違する。第２の実施例におけるこの種の構成は、上記凹部分１９の強度を更に改善する。これと同時に、上記凹部分１９は押え棒３の最上面３ａと側壁３ｂに滑らかに遷移する結合部を形成する。上記凹部分１９は押抜きや類似手法により形成され得る。同様に、上記凹部分１９はまた、ピボットアーム５の他のアーム端を収容し且つ保持する孔を有する。アーム端の終端部が押え棒３の側壁を超えて延びておらず、またアーム端５ｂの終端部５ｂｂが上記凹部分１９の内側において終端していることが、図１１Ｄ乃至図１１Ｅにより明瞭に分かる。
【００２４】
図１２乃至図１３Ｅは、本発明に係る紙を挟むレバークリップの第３の実施例の構成を示す。本発明に係る第３の実施例の主な構成は、本発明に係る第１の実施例の構成に等しい。このため、第１の実施例と同一または類似の構成の説明を省略し、下記の通り第１の実施例との相違のみを説明する。
【００２５】
第３の実施例においては、押え棒３はその最上面３ａの下に概ね垂直なタブ２９を備えている。垂直なタブ２９は、上記最上面３ａを切出し上記押え棒３の最上面３ａから下方へ折り曲げて形成される。それぞれのタブ２９は、ピボットアーム５の他方の端部を収容し且つ保持するための孔を有している。図１３Ｄ乃至図１３Ｅによれば、アーム端５ｂの終端部５ｂｂはタブ２９と押え棒３の閉じた側壁３ｂに到る前において終端していることが明瞭に分かる。押え棒３における側壁３ｂの外側を塞ぐ必要があるときには、上記押え棒３の最上面３ａから下方へ折り曲げられた垂直なタブ２９は、ピボットアーム５の他方のアーム端５ｂを支持するために常用され得る。
【００２６】
図１４乃至図１６Ｅは、本発明に係る紙を挟むレバークリップの第４の実施例の構成を示す。本発明に係る第４の実施例の主な構成は、本発明に係る第１の実施例の構成に等しい。このため、第１の実施例と同一または類似の構成の説明を省略し、下記の通り第１の実施例との相違のみを説明する。
【００２７】
第４の実施例においては、凹部分１８は、板材１における側壁１ａの位置において内側に形成される。この凹部分１８は、板材１における底板１ｂの垂直なタブ７に対応している。ピボットアーム５における一方のアーム端５ａを収容し且つ保持するために、板材１における側壁１ａの上記凹部分には孔が形成された終端支持部となっている。アーム端５ａの終端部５ａａは、板材１の側壁１ａを超えて延びておらず、上記凹部分１８の内側において終端していることが、図１６Ｄにより明瞭に分かる。斯して、ピボットアーム５の終端部５ａａは、従来例の欠点を克服するため、手を傷つけることを防ぐために、使用者の手に触れることはないであろう。
【００２８】
図１７乃至図１９Ｅは、本発明に係る紙を挟むレバークリップの第５の実施例の構成を示す。本発明に係る第５の実施例の主な構成は、本発明に係る第１の実施例の構成に等しい。このため、第１の実施例と同一または類似の構成の説明を省略し、下記の通り第１の実施例との相違のみを説明する。
【００２９】
第５の実施例においては、板材１における側壁１ａは幾つかの窪んだタブ２８を備えている。窪んだタブ２８は、側壁１ａから切出され、上記側壁１ａに概ね平行になるように板材１の底板１ｂにおける垂直なタブ７に対応する位置において内側へ折り曲げられている。窪んだタブ２８の高さが、対応する垂直なタブ７に対してピボットアーム５の一方のアーム端５ａ用に形成された孔の高さに対応していることが、図１９Ｄにより明瞭に分かる。上記ピボットアーム５における一方のアーム端５ａは、窪んだタブ２８において支持されているけれども、一方のアーム端５ａにおける終端部５ａａは板材１の側壁１ａを超えて延びておらず、且つ窪んだタブ２８と側壁１ａの間において終端している。タブ２８は一方のアーム端５ａ終端部５ａａを支持するための終端支持部となっている。斯して、ピボットアーム５の終端部５ａａは、従来例の欠点を克服するため、手を傷つけることを防ぐために、使用者の手に触れることはないであろう。
【００３０】
図２０乃至図２２Ｅは、本発明に係る紙を挟むレバークリップの第６の実施例の構成を示す。本発明に係る第６の実施例の主な構成は、本発明に係る第１の実施例の構成に等しい。このため、第１の実施例と同一または類似の構成の説明を省略し、下記の通り第１の実施例との相違のみを説明する。
【００３１】
第６の実施例においては、板材１における側壁１ａは幾つかの突出部３８を備えている。突出部３８は、板材１における側壁１ａの外側へ突出しており、板材１における底面１ｂの垂直なタブ７に対応した位置において、上記側壁１ａの内側に凹みを有する。突出部３８の高さは、垂直なタブ７に対応するピボットアーム５におけるアーム端５ａ用の孔の高さに、対応している。アーム端５ａにおける終端部５ａａが側壁１ａにおける突出部３８の凹みにて収容され且つ保持されていることが、図２２Ｄにより明瞭に分かる。突出部３８は一方のアーム端５ａ終端部５ａａを支持するための終端支持部となっている。斯して、ピボットアームの終端部は、従来例の欠点を克服するため、手を傷つけることを防ぐために、使用者の手に触れることはないであろう。
【００３２】
本発明の好適な実施例は上述したが、この発明はここにおいて詳細に述べた上記特定の構成や特徴に限定されるものではない。添付されたクレームの範囲から逸脱しない限りにおいて、様々な変形が本発明の一部分を構成することは当業者に明らかであろう。
【００３３】
【発明の効果】
従来技術におけるレバークリップの欠点は、本発明のレバークリップによって克服される。本発明は、レバークリップを操作したときピボットアームにおける２つのアーム端の端部が板材における側壁及び前記棒における側壁を超えて延びないようにすることによって、めくられたファイルの紙を破くこと及び不用意に手を傷つけることを適切に防止する。
【図面の簡単な説明】
【図１】図１は、紙を挟むための従来のレバークリップを示す斜視図、図１Ａは図１の要部拡大斜視図。
【図２】図２は、ファイルの紙がめくられたときにおける図１Ａに示されたレバークリップを示す図、図２Ａは、図２の要部拡大斜視図。
【図３】図３は、紙が挟まれたときにおけるレバークリップの横側斜視図、図３Ａは図３の要部拡大斜視図。
【図４】図４は、本発明に係るレバークリップの第１の実施例を示す斜視図。
【図５】図５は、本発明に係る第１の実施例におけるレバークリップを示す底面側斜視図。
【図６】図６Ａ、図６Ｂ、図６Ｃはそれぞれ、本発明に係るレバークリップの第１の実施例の正面図、底面図、平面図、図６Ｄと図６Ｅはそれぞれ、図６ＣにおけるＡ−Ａ線断面図とＤ−Ｄ線断面図。
【図７】図７は、本発明に係るレバークリップの第１の実施例の分解斜視図。
【図８】図８は、本発明に係る紙を挟むレバークリップの第１の実施例の斜視図、図８Ａは図８の要部拡大斜視図。
【図９】図９は、図８に示した紙を挟むレバークリップの横側斜視図。
【図１０】図１０は、本発明に係るレバークリップの第２の実施例を示す斜視図。
【図１１】図１１Ａは、図１１Ｂ、図１１Ｃはそれぞれ、本発明に係るレバークリップの第２の実施例の正面図、底面図、平面図、図１１Ｄと図１１Ｅはそれぞれ、図１１ＣにおけるＡ−Ａ線断面図とＤ−Ｄ線断面図。
【図１２】図１２は、本発明に係るレバークリップの第３の実施例を示す斜視図。
【図１３】図１３Ａは、図１３Ｂ、図１３Ｃはそれぞれ、本発明に係るレバークリップの第３の実施例の正面図、底面図、平面図、図１３Ｄと図１３Ｅはそれぞれ、図１３ＣにおけるＡ−Ａ線断面図とＤ−Ｄ線断面図。
【図１４】図１４は、本発明に係るレバークリップの第４の実施例を示す斜視図。
【図１５】図１５は、本発明に係る第４の実施例におけるレバークリップを示す底面側斜視図。
【図１６】図１６Ａは、図１６Ｂ、図１６Ｃはそれぞれ、本発明に係るレバークリップの第４の実施例の正面図、底面図、平面図、図１６Ｄと図１６Ｅはそれぞれ、図１６ＣにおけるＡ−Ａ線断面図とＤ−Ｄ線断面図。
【図１７】図１７は、本発明に係るレバークリップの第５の実施例を示す斜視図。
【図１８】図１８は、本発明に係る第５の実施例におけるレバークリップを示す底面側斜視図。
【図１９】図１９Ａは、図１９Ｂ、図１９Ｃはそれぞれ、本発明に係るレバークリップの第５の実施例の正面図、底面図、平面図、図１９Ｄと図１９Ｅはそれぞれ、図１９ＣにおけるＡ−Ａ線断面図とＤ−Ｄ線断面図。
【図２０】図２０は、本発明に係るレバークリップの第６の実施例を示す斜視図。
【図２１】図２１は、本発明に係る第６の実施例におけるレバークリップを示す底面側斜視図。
【図２２】図２２Ａは、図２２Ｂ、図２２Ｃはそれぞれ、本発明に係るレバークリップの第６の実施例の正面図、底面図、平面図、図２２Ｄと図２２Ｅはそれぞれ、図２２ＣにおけるＡ−Ａ線断面図とＤ−Ｄ線断面図。
【符号の説明】
１  板材
２  ハンドル
３  押え棒
４  渦巻きバネ
５  ピボットアーム
６  ピン
７  タブ
８  タブ
９  凹部分
１８  凹部分
１９  凹部分
２８  タブ
２９  タブ
３８  突出部
【図１】
0004421821.tif 000002
【図２】
0004421821.tif 000003
【図３】
0004421821.tif 000004
【図４】
0004421821.tif 000005
【図５】
0004421821.tif 000006
【図６】
0004421821.tif 000007
【図７】
0004421821.tif 000008
【図８】
0004421821.tif 000009
【図９】
0004421821.tif 000010
【図１０】
0004421821.tif 000011
【図１１】
0004421821.tif 000012
【図１２】
0004421821.tif 000013
【図１３】
0004421821.tif 000014
【図１４】
0004421821.tif 000015
【図１５】
0004421821.tif 000016
【図１６】
0004421821.tif 000017
【図１７】
0004421821.tif 000018
【図１８】
0004421821.tif 000019
【図１９】
0004421821.tif 000020
【図２０】
0004421821.tif 000021
【図２１】
0004421821.tif 000022
【図２２】
0004421821.tif 000023